(57)【特許請求の範囲】
【請求項１】
ＵＰＳからの電源出力を受けてＣＲＴへの電源連動出力及び装置ＣＰＵへのＤＣ電源を出力する電源モジュールを有するＵＰＳ対応のコンピュ−タ装置と、ＵＰＳの商用電源入力を検出するリレーと、電源モジュールの出力を検出するリレーと、この各リレーのｂ接点の一方又は両方がＯＦＦの場合前記ＵＰＳ電源出力を電源モジュールに出力させるＵＰＳの制御回路とを備えたＵＰＳ制御システムにおいて、
前記商用電源入力を検出するリレーを、電源モジュールの動作を止めるのに要する時間より長いＯＮデイレィタイムのタイムリレーとなし、商用電源が復電するとタイムリレーのＯＮディレイ動作によりコンピュータ装置が再起動することを特徴とするＵＰＳ制御システム。
【発明の詳細な説明】
【０００１】
【発明の属する技術分野】
この発明は、コンピュータ装置で制御するＵＰＳ（無停電電源装置）制御システム、詳しくは、商用電源復電時の再起動を確実行うことができるＵＰＳ制御システムに関する。
【０００２】
【従来の技術】
ＵＰＳは、常時は商用電源入力を、商用電源停電時はバッテリを電源として定周波，定電圧の交流を出力するように順変換器，バッテリ，逆変換器等で構成されている。図３に示すように、ＵＰＳ１の制御には、異常検出機能や異常通知機能及びエラーリカバリ機能を備えたＵＰＳ対応のコンピュータ装置２を用いてる。
【０００３】
このコンピュータ装置２は、ＣＰＵ（ＲＳＡモジュール）２２と、ソフトウェア操作により独自で電源操作可能な電源モジュール２１とその周辺回路を持ち、電源モジュール２１はＵＰＳ１からのＵＰＳ電源出力により動作し、ＣＰＵ２２へＤＣ電源出力すると共に、ＵＰＳ電源出力との連動出力をＣＲＴなどに出力する。
【０００４】
図３において、ＳＷ１は電源モジュール２１へ入力するＵＰＳ電源出力を直接入切するメインパワースイッチで、このスイッチＳＷ１がＯＮしているときのみコンピュータ装置２は、下記の動作を行う。
【０００５】
ａ）メインパワースイッチＳＷ１がＯＮしている状態で、パワースイッチＳＷ２をＯＮすると、電源モジュール２１は動作し、ＣＰＵ２２に電源を供給する。
【０００６】
ｂ）パワースイッチＳＷ２がＯＦＦし検出回路がこれを検出した場合、シャットダウン操作を終了した後、Ｓ／Ｗ操作でＣＰＵ２２からパワーオフ制御が出力され、電源モジュール２１の動作を止め、電源供給を止める。
【０００７】
ｃ）ＵＰＳ１は内部の一次電源の停電を検出し、ＵＰＳ停電検出信号をコンピュータ装置２に出力する。ＵＰＳ１は停電検出後、内部バッテリを用いてコンピュータ装置２に電源を供給するが、供給できる時間が限られているので、ＵＰＳ停電検出信号を伝え安全にシャットダウン操作を行う。シャットダウン終了後、上記ｂ）の処理と同様に電源モジュール２１の動作を止める。
【０００８】
このＵＰＳ制御システムは、停電時ＣＰＵ２２がパワーオフ制御信号を電源モジュール２１に出力してＣＰＵ２２の電源供給を止めるが、一次側（メインパワースイッチＳＷ１側）を切るわけではないので電源モジュール２１内部の一次側の電力消費を完全に切ることができない。このため、時間が経過するとＵＰＳ１のバッテリが上がってしまう。
【０００９】
また、停電時に安全にコンピュータ装置２を止めることはできるが、復電時に再起動することができない。
【００１０】
この場合、図４のようにＵＰＳ１の商用電源を検出するリレーＲ２とＣＰＵ２の電源を検出リレーＲ１を設け、それぞれのｂ接点の論理積にてコンピュータ装置２の電源を止めると、ＵＰＳ１から電源モジュール２１へのＵＰＳ電源出力が抑制され復電時に再起動が図５のように可能となる。
【００１１】
【発明が解決しようとする課題】
しかし、上記図５のようにリレーＲ１，Ｒ２を用いてコンピュータ２２の電源を止める処理を行っている間に復電してしまった場合、図６に示すようにＵＰＳ１からコンピュータ装置２へのＵＰＳ電源出力を抑制できなくなり、再起動することができない。
【００１２】
本発明は、このような問題点に鑑みてなされたものであり、その目的とするところはコンピュータの電源を止める処理を行っている間に復電してしまった場合でも再起動ができるＵＰＳ制御方式を提供することにある。
【００１３】
【課題を解決するための手段】
本発明は、ＵＰＳからの電源出力を受けてＣＰＵへの電源連動出力及び装置ＣＰＵへのＤＣ電源を出力する電源モジュールを有するＵＰＳ対応のコンピュ−タ装置と、ＵＰＳの商用電源入力を検出するリレーと、電源モジュールの出力を検出するリレーと、この各リレーのｂ接点の一方又は両方がＯＦＦの場合前記ＵＰＳ電源出力を電源モジュールに出力させるＵＰＳの制御回路とを備えたＵＰＳ制御システムにおいて、前記商用電源入力を検出するリレーを、電源モジュールの動作を止めるのに要する時間より長いＯＮデイレィタイムのタイムリレーとなし、商用電源が復電するとタイムリレーのＯＮディレイ動作によりコンピュータ装置が再起動することを特徴とするものである。
【００１４】
【発明の実施の形態】
図１にＵＰＳ対応機能を装備したコンピュータ装置を適用したＵＰＳシステムにおける商用電源の停電／復電時にシステムを自動復帰させるリレーシーケンスを示す。
【００１５】
図１において、１はＵＰＳ、１１はＵＰＳの信号出力カード、２はコンピュータ装置、２１はコンピュータ装置の電源モジュール、２２は異常検出機能や異常通知機能及びエラーリカバリー機能を備えたＲＡＳモジュール（ＣＰＵ）。
【００１６】
ＴＲｙ１はＵＰＳの商用電源入力▲１▼の復帰から１８０秒遅れで動作するＯＮデイレィタイムリレー、Ｒｙ１は電源モジュール２１へ入力するＵＰＳ電源出力▲２▼と連動して電源モジュール２１からＣＲＴ等へ出力される電源連動出力▲４▼により付勢されるリレーで、タイムリレーＲｙ１とリレーＲｙ１のｂ接点ＴＲｙ１−ｂとＲｙ１−ｂの論理積で電源モジュール２１へのＵＰＳ電源出力２を制御するリモートＯＮ／ＯＦＦ信号▲６▼を出力するように構成されている。
【００１７】
なお、図中、▲３▼は電源モジュール２１からＣＰＵ２２への電源出力、▲５▼はＵＰＳ１が商用電源入力停電を検出してＣＰＵ２２に電源モジュール２１からＤＣ電源出力▲３▼を出力させるためのバックアップ信号出力である。
【００１８】
上記ＵＰＳ制御システムは、常時商用電源入力▲１▼を電源としてＵＰＳ１が動作しており、ＵＰＳ電源出力▲２▼をコンピュータ装置２に出力し、装置２の電源モジュール２１はＵＰＳ電源出力▲２▼に連動して電源連動出力▲４▼をＣＲＴに出力すると共にＣＰＵ２２にＤＣ電源出力▲３▼を出力する。また、常時はタイムリレーＴＲｙ１及びリレーＲｙ１のｂ接点ＴＲｙ１−ｂ及び、Ｒｙ−ｂは共にＯＦＦし、リモートＯＮ／ＯＦＦ信号▲６▼はＯＮしている。
【００１９】
次に上記ＵＰＳシステムの商用電源１の停電時の動作を図２を用いて説明する。商用電源１が停電すると、ＵＰＳ１は商用電源▲１▼１の停電を検出し、バックアップ信号出力ＢＵをＯＮにしてコンピュータ装置２に知らせる。コンピュータ装置２は停電検出によりシャットダウンを行い、自らＤＣ電源出力▲３▼を切る。商用電源▲１▼の停電でタイムリレーＴＲｘ１のｂ接点ＴＲｙ１−ｂはＯＮするが、リレーＲｙ１のｂ接点Ｒｙ１−ｂはＯＦＦのままであるから、ＵＰＳリモートＯＮ／ＯＦＦ信号▲６▼はＯＦＦとならない。
【００２０】
コンピュータ装置２はＤＣ電源出力▲３▼が切れると共に電源連動出力▲４▼が切れることで、リレーＲｙ１のｂ接点Ｒｙ１−ｂがＯＮするので、リモートＯＮ／ＯＦＦ信号▲６▼がＯＦＦになり、ＵＰＳ電源出力▲２▼が停止する。
【００２１】
商用電源▲１▼が復電すると、タイムリレーＴＲｙ１が１８０秒後にＯＦＦし、リモートＯＮ／ＯＦＦ信号▲６▼がＯＮになりＵＰＳ電源出力▲２▼が復旧するので、コンピュータ装置２は再起動する。
【００２２】
以上のように、ＵＰＳ１の商用電源入力▲１▼にＯＮデイレィタイムリレーを接続し、タイムリレーのＯＮデイレィの値を電源モジュール２１の動作を止めるのに要する時間より長め（例えば、１８０秒）に設定したので、コンピュータ装置の電源を止めるシャットダウン処理を終わった後にＵＰＳリモートＯＮ／ＯＦＦ信号▲６▼がＯＮするので、再起動が可能となる。
【００２３】
なお、上記ＯＮデイレィタイムリレー（ＯＮデイレィタイマ）のＯＮデイレィ時間としての電源モジュールの動作を止めるに要する時間は、コンピュータ装置がシャットダウン処理を開始したら電源モジュールの動作を止める操作を止められない場合、シャットダウン処理時間を含めることもある。
【００２４】
【発明の効果】
本発明は、上述のとおり構成されているので、次に記載する効果を奏する。
【００２５】
（１）停電の際に、コンピュータ装置を安全に止め、復電後再起動することが停電時間の長短に関係なく確実に行える。
【００２６】
（２）停電時にコンピュータ装置の電源モジュール内部の一次側の電力を完全に切ることができるので、電源モジュールの電力消費によりＵＰＳのバッテリが上がることがなくなる。
【図面の簡単な説明】
【図１】実施の形態にかかるＵＰＳシステムのＵＰＳとコンピュータ装置間のリレーシーケンス構成図。
【図２】ＵＰＳシステムにおける商用電源停電時の動作を説明するタイミング図。
【図３】従来ＵＰＳ制御システム構成図。
【図４】従来出力を抑制する信号が設けられているＵＰＳ制御システム構成図。
【図５】従来ＵＰＳ制御システムの復電時再起動可能な場合のタイミング図。
【図６】従来ＵＰＳ制御システムの復電時再起動可能な場合のタイミング図。
【符号の説明】
１…ＵＰＳ（無停電電源装置）
１１…ＵＰＳの信号出力カード
２…ＵＰＳ対応のコンピュータ装置
２１…コンピュータ装置の電源モジュール
２２…コンピュータ装置の処理装置（ＣＰＵ，ＲＡＳモジュール）
Ｒ１，Ｒ２，Ｒｙ１…リレー
ＴＲｙ…ＯＮデイレィタイムリレー
【図１】
0003718944.tif 000002
【図２】
0003718944.tif 000003
【図３】
0003718944.tif 000004
【図４】
0003718944.tif 000005
【図５】
0003718944.tif 000006
【図６】
0003718944.tif 000007